(57)【要約】【課題】放熱性は維持しつつ、筐体強度の低下、外観の悪化および異物の侵入を解消または軽減した電子機器筐体および電子機器ユニットを提供する。【解決手段】筐体本体４２の、プリント板４９の端面と対向する面に通風孔４２ｂを形成し、この通風孔４２ｂの、プリント板４９が所定位置に保持されると端面と対向する位置に、この端面と平行かつ略同一幅の桟４２ａを形成して、プリント板４９の端面が露出しないようにすると共に、プリント板４９を桟４２ａの補強部材に用いてシグナルモジュール４１の筐体強度を向上させる。また、通風孔４２ｂは異物侵入を防止するためにスリット形状にする。カバー４４は、放熱性向上のために、筐体本体４２の開口面４３の一部を被覆する形状とする。【選択図】図１
2010232305.tif 000002
【特許請求の範囲】
【請求項１】
内部に電子回路基板を収容する電子機器筐体において、
前記電子回路基板の端面と対向する面に形成された開口部と、
前記開口部の、前記電子回路基板が所定位置に保持されると前記端面と対向する位置に、前記端面と平行かつ略同一幅に形成された桟とを備える電子機器筐体。
【請求項２】
電子機器筐体は、電子回路基板の電子回路実装面とは逆側の面に対向する開口面を有する筐体本体と、前記開口面の一部を被覆する形状のカバーとを備えることを特徴とする請求項１記載の電子機器筐体。
【請求項３】
請求項１または請求項２記載の電子機器筐体と、
複数の前記電子機器筐体を並べて収納する収納ケースとを備える電子機器ユニットであって、
前記電子機器筐体は、側面にフックを有し、
前記収納ケースは、前記電子機器筐体の前記フックを掛止するフック受け部と、前記フック受け部が形成された面と対向する面の開口縁を切り欠いた切欠部とを有することを特徴とする電子機器ユニット。
【発明の詳細な説明】
【技術分野】
【０００１】
この発明は、内部に電子回路を備えた電子機器筐体、および複数の電子機器筐体を収納ケースに収納した電子機器ユニットに関するものである。
【背景技術】
【０００２】
プラント等の制御に用いる制御盤は、一般的に、各種機器を必要に応じて組み合わせて構成されている。制御盤に配置される電子機器は、発熱体となる電子回路を内部に備えると共に、小型化がすすみ設置密度も高いために放熱構造が必須である。そのため、電子機器筐体の内側面に電子回路基板を取り付け、下面の略全面に設けた通風孔から外気を導入して電子回路基板を冷却し、温度が上昇した外気を上面の略全面に設けた通風孔から排出していた（例えば、特許文献１参照）。
【先行技術文献】
【特許文献】
【０００３】
【特許文献１】特開平１１−１８６７６４号公報
【発明の概要】
【発明が解決しようとする課題】
【０００４】
従来の電子機器筐体は放熱性を第一に考えて通風孔の位置および開口面積を決定していたので、筐体の上面および下面に開口面積の大きい通風孔を形成することによって、筐体の強度が低下してしまうという課題があった。また、開口面積が大きいため、外部から筐体内の基板端面が見えてしまうことによる外観の悪化が生じるという課題があった。さらに、開口面積が大きいため、外部からごみ等の異物が侵入しやすいという課題があった。
【０００５】
この発明は、上記のような課題を解決するためになされたもので、放熱性は維持しつつ、筐体強度の低下、外観の悪化および異物の侵入を解消または軽減した電子機器筐体および電子機器ユニットを提供することを目的とする。
【課題を解決するための手段】
【０００６】
請求項１の発明に係る電子機器筐体は、電子回路基板の端面と対向する面に形成された開口部と、開口部の、電子回路基板が所定位置に保持されると端面と対向する位置に、端面と平行かつ略同一幅に形成された桟とを備えるようにしたものである。
【０００７】
請求項２の発明に係る電子機器筐体は、電子回路基板の電子回路実装面とは逆側の面に対向する開口面を有する筐体本体と、開口面の一部を被覆する形状のカバーとを備えるようにしたものである。
【０００８】
請求項３の発明に係る電子機器ユニットは、上記の電子機器筐体と、複数の上記の電子機器筐体を並べて収納する収納ケースとを備え、電子機器筐体は側面にフックを有し、収納ケースは電子機器筐体のフックを掛止するフック受け部と、フック受け部が形成された面と対向する面の開口縁を切り欠いた切欠部とを有するようにしたものである。
【発明の効果】
【０００９】
請求項１の発明によれば、電子機器筐体の開口部の、電子回路基板の端面と対向する位置に、端面と平行かつ略同一幅の桟を形成するようにしたので、放熱性を維持しつつ、筐体強度の低下、外観の悪化、およびごみ等の異物の侵入を解消または軽減することができる。
【００１０】
また、請求項２の発明によれば、筐体本体の開口面の一部を被覆する形状のカバーを設けるようにしたので、放熱性および筐体強度を向上させることができる。
【００１１】
また、請求項３の発明によれば、収納ケースのフック受け部が形成された面と対向する面の開口縁を切り欠いた切欠部を設けるようにしたので、電子機器筐体を収納ケースから取り外す際に電子機器筐体のフックと収納ケースのフック受け部の掛止を解除しつつ切欠部へ倒れ込ませれば、掛止の解除と電子機器筐体の取り外しを容易に行うことができる。
【図面の簡単な説明】
【００１２】
【図１】この発明の実施の形態１に係るシグナルモジュール４１の構成を示す外観斜視図である。
【図２】図１に示すＡ方向からみたシグナルモジュール４１の構成を示す分解斜視図である。
【図３】この発明の実施の形態１に係るシグナルユニット４０の構成を示す斜視図である。
【図４】この発明の実施の形態１に係るシグナルユニット４０を組み込んだ制御盤の構成例を示す斜視図である。
【発明を実施するための形態】
【００１３】
実施の形態１．
図１は、この発明の実施の形態１に係るシグナルモジュール（電子機器筐体）４１の構成を示す外観斜視図であり、図２にＡ方向からみた分解斜視図を示す。図３は、シグナルモジュール４１を収納ケース６０に収納した状態のシグナルユニット（電子機器ユニット）４０の構成を示す斜視図であり、制御盤に設置すると正面を向く側の様子を図３（ａ）に、背面側の様子を図３（ｂ）にそれぞれ示す。図４は、制御盤にシグナルユニット４０を組み込んだ構成例を示す斜視図である。
【００１４】
図４において、ベースユニット５０上に重ねて固定された基板２０の上には、外部との通信を行なうＩ／Ｏモジュール１０、不図示のセンサおよび制御対象機器等を接続する端子台３０、端子台３０と連接してセンサ等とＩ／Ｏモジュール１０とを接続するシグナルユニット４０等が取り付けられている。基板２０の上に取り付ける機器類は用途に応じて種類・数を組み合わせればよく、また配置も任意であり、図４に配置の一例を示す。なお、図４に示すような制御盤は、キャビネット内に複数並べて設置され、Ｉ／Ｏモジュール１０を介して上位制御システムに接続される。
【００１５】
図３（ａ），（ｂ）に示すように、シグナルユニット４０はシグナルモジュール４１と、このシグナルモジュール４１を複数収納する収納ケース６０とから構成される。以下では、先ずシグナルモジュール４１を説明し、次に収納ケース６０を説明する。
【００１６】
シグナルモジュール４１は、図１，２に示すように筐体本体４２とカバー４４とから構成され、内部にプリント板４９を収容する。プリント板４９は、電子回路が実装された面が筐体本体４２側に向き、電子回路が実装された面とは逆側の面がカバー４４側に向くように収容される。
【００１７】
筐体本体４２の、プリント板４９の端面と対向する側面には、放熱のための通風孔（開口部）４２ｂが穿設されている。通風孔４２ｂの、プリント板４９の端面と対向する位置には、桟４２ａが形成されている。図１に示すように、この桟４２ａは、プリント板４９の端面に沿って平行に形成され、かつ、プリント板４９の厚さと略同一になっている。そのため、プリント板４９の端面が桟４２ａに覆われて外部から見えず、外観が悪化しない。また、桟４２ａを設けることにより筐体強度が向上でき、かつ、必要以上に通風孔４２ｂの開口面を閉塞しないので放熱効率がよい。また、桟４２ａが通風孔４２ｂの開口面を仕切るため、通風孔４２ｂがスリット形状になり、外部からごみ等の異物が侵入しにくくなる。
【００１８】
プリント板４９は、筐体本体４２の内周よりわずかに小さい形状であり、筐体本体４２の所定位置にプリント板４９を取り付けてもその端面は桟４２ａに当接しない。ただし、シグナルモジュール４１が外部から力が加わって歪んだ場合には、プリント板４９の端面が桟４２ａに当接して、プリント板４９が補強部材としての機能を発揮するため、シグナルモジュール４１の筐体強度が向上する。
【００１９】
プリント板４９は、筐体本体４２の底面から突設されたプリント板用ピン４５およびプリント板用ボス４６ａによって桟４２ａと同一の高さ位置に保持されている。プリント板用ピン４５は、先端の縮径部をピン穴４９ｂに挿入し、肩部でピン穴４９ｂ周辺を掛止することにより、プリント板４９を桟４２ａと同じ高さ位置に保持する。また、プリント板用ボス４６ａは、ねじ穴４９ｃに挿通したプリント板用ねじ４６ｂと螺合することにより、プリント板４９を桟４２ａと同じ高さ位置に固定する。なお、ここではプリント板４９の保持具の一例としてプリント板用ピン４５、ならびにプリント板用ボス４６ａおよびプリント板用ねじ４６ｂを用いたが、保持具の種類、設置数および設置位置は任意に決定すればよい。
【００２０】
カバー４４は、ねじ穴４４ａに挿通したカバー用ねじ４７ｂを、筐体本体４２の底面から突設されたカバー用ボス４７ａに螺合することによって、筐体本体４２に固定されている。このカバー４４は、筐体本体４２の開口面４３の一部を被覆する大きさであり、開口面４３のうちのカバー４４によって被覆されない部分からはプリント板４９の電子回路実装面とは逆側の面が露出する。このカバー４４を、開口面４３の一部を被覆する大きさにすることにより放熱性が向上する。また、このカバー４４があることによりシグナルモジュール４１の筐体強度が向上する。
【００２１】
筐体本体４２の一側面にはモジュールフック４８が設けられ、このモジュールフック４８が収納ケース６０のモジュールフック受け部６１に掛止することで、シグナルモジュール４１が収納ケース６０に固定される。また、図２に示すように、プリント板４９のモジュールフック４８に対向する部分には、モジュールフック４８の可動幅に応じた形状のモジュールフック用切欠部４９ｄが形成されている。
【００２２】
次に、図３（ａ），（ｂ）を用いて収納ケース６０を説明する。収納ケース６０は、複数のシグナルモジュール４１を並べて収納できる大きさであり、上面が開口している。収納ケース６０の側面には、シグナルモジュール４１のモジュールフック４８を掛止するためのモジュールフック受け部６１が穿設されている。シグナルモジュール４１装着の際、シグナルモジュール４１を収納ケース６０上面の開口からＢ方向に挿入すれば、モジュールフック４８がモジュールフック受け部６１に掛止してシグナルモジュール４１と収納ケース６０とが固定される。
また、モジュールフック受け部６１が形成された側面と対向する側面の開口縁に、切欠部６３が形成されている。シグナルモジュール４１取り外しの際、モジュールフック４８とモジュールフック受け部６１の掛止を解除しつつシグナルモジュール４１をＣ方向に押せば、シグナルモジュール４１がＣ方向前方の切欠部６３へ倒れ込むため、掛止の解除およびシグナルモジュール４１取り外しが容易となる。
【００２３】
また、収納ケース６０には、底面側に突出した複数のケースフック６２が形成されており、制御盤取り付け時にこれらケースフック６２が基板２０に掛止して、シグナルユニット４０全体を制御盤に固定する。
【００２４】
カバー４４の面が隣のシグナルモジュール４１と密接するように、複数のシグナルモジュール４１を収納ケース６０に並べて収納すれば、プリント板４９のカバー４４で被覆されずに露出している部分が、隣接するシグナルモジュール４１または収納ケース６０の側壁によって被覆される。シグナルモジュール４１を収納ケース６０に収納していないときはプリント板４９の一部が外部に露出したままとなるが、この露出面を電子回路が実装されていないはんだ面にして搭載部品を少なくし、さらにワニス等を塗布して保護しておけば、電子回路の損傷を防止できる。また、筐体本体４２の側壁をプリント板４９の高さ位置より高くして、図１，２に示すような保護壁４２ｃを設けることにより、シグナルモジュール４１を収納ケース６０に収納していないときにどの向きで床等に置いても、プリント板４９が直接床等に接触することがないので電子回路の損傷を防止できる。
【００２５】
以上のように、実施の形態１によれば、内部にプリント板４９を収容するシグナルモジュール４１に、プリント板４９の端面と対向する面に通風孔４２ｂを形成し、この通風孔４２ｂの、プリント板４９が所定位置に保持されると端面と対向する位置に、この端面と平行かつ略同一幅の桟４２ａを形成するようにした。このため、通風孔４２ｂにプリント板４９端面と略同一幅の桟４２ａを設けて、桟４２ａの面積を必要最低限に抑えることによって放熱性は維持しつつ、筐体強度の低下、外観の悪化、およびごみ等の異物の侵入を解消または軽減することができる。
【００２６】
また、複数のシグナルモジュール４１を並べて収納する収納ケース６０の、モジュールフック受け部６１の形成された面と対向する面の開口縁を切り欠いた切欠部６３を形成した。このため、シグナルモジュール４１を収納ケース６０から取り外す際にモジュールフック４８とモジュールフック受け部６１の掛止を解除しつつ切欠部６３へ倒れ込ませれば、掛止の解除およびシグナルモジュール４１の取り外しを容易に行うことができる。
【００２７】
また、シグナルモジュール４１は、プリント板４９の電子回路実装面とは逆側の面に対向する開口面４３を有する筐体本体４２と、開口面４３の一部を被覆する形状のカバー４４とを備えるようにした。このため、放熱性と筐体強度を向上させることができる。
なお、カバー４４が開口面４３を一部しか覆わないので内部に収容されるプリント板４９の一部が露出するが、保護壁４２ｃがあるので、シグナルモジュール４１を床等に置いてもプリント板４９が直接接触することはない。さらに、シグナルモジュール４１を収納ケース６０に収納すれば、この露出部は収納ケース６０の側壁または隣接するシグナルモジュール４１によって覆われて外部に露出することはない。
【符号の説明】
【００２８】
１０  Ｉ／Ｏモジュール
２０  基板
３０  端子台
４０  シグナルユニット（電子機器ユニット）
４１  シグナルモジュール（電子機器筐体）
４２  筐体本体
４２ａ  桟
４２ｂ  通風孔（開口部）
４２ｃ  保護壁
４３  開口面
４４  カバー
４４ａ  ねじ穴
４５  プリント板用ピン
４６ａ  プリント板用ボス
４６ｂ  プリント板用ねじ
４７ａ  カバー用ボス
４７ｂ  カバー用ねじ
４８  モジュールフック
４９  プリント板（電子回路基板）
４９ａ  コネクタ部
４９ｂ  ピン穴
４９ｃ  ねじ穴
４９ｄ  モジュールフック用切欠部
５０  ベースユニット
６０  収納ケース
６１  モジュールフック受け部
６２  ケースフック
６３  切欠部
【図１】
2010232305.tif 000003
【図２】
2010232305.tif 000004
【図３】
2010232305.tif 000005
【図４】
2010232305.tif 000006